(57)【要約】【課題】異常原因などを解析するための情報を的確に取得できるようにした異常情報保持システムを提供する。【解決手段】通電切替器は、ＣＰＵが通常動作しているときには表示装置が表示画像データＡ１、Ａ２、Ａ３…に同期して受信するように切替えるものの、ＣＰＵの異常が検出されたときには表示装置が異常解析データＢ１、Ｂ２、Ｂ３…に同期して受信するように切替える。表示装置２はこの異常解析データＢを受信し画素に記憶保持する。【選択図】図１
2011198220.tif 000002
【特許請求の範囲】
【請求項１】
表示装置と、
画像情報を前記表示装置に表示させる制御装置と、
前記制御装置の動作状態を監視する監視手段を備えた異常検出装置と、を具備して構成されたシステムであって、
前記制御装置の動作状態を表す付加情報を生成する付加情報生成手段と、
前記付加情報生成手段により生成された付加情報を前記画像情報に付加して前記表示装置に送信する送信手段と、
前記送信手段により送信された画像情報および付加情報を受信する受信手段と、
前記制御装置が通常動作するときには前記受信手段が受信する情報を画像情報に切替え、前記監視手段により制御装置の動作状態が異常であると検出されると前記受信手段が受信する情報を画像情報から付加情報に切替える切替手段と、を備え、
前記表示装置は、その受信情報が前記切替手段によって付加情報に切替えられたときに前記受信手段により受信した付加情報を保持する保持手段を備えたことを特徴とする異常情報保持システム。
【請求項２】
前記表示装置は、前記制御装置が通常動作するときには画像情報を表示し、前記制御装置が異常検出されたときには付加情報を表示することを特徴とする請求項１記載の異常情報保持システム。
【請求項３】
前記付加情報生成手段はＣＰＵを含む制御装置の動作状態を表す付加情報を生成し、
前記異常検出装置は、記憶手段、前記制御装置の動作状態を記憶手段に記憶させる制御手段を備え、前記ＣＰＵの動作とは独立に動作するように構成され、
前記制御手段は、前記付加情報生成手段により生成された制御装置の動作状態を表す付加情報を前記記憶手段に記憶させ、
前記送信手段は、前記記憶手段に記憶された付加情報を前記画像情報に付加して前記表示装置に送信することを特徴とする請求項１または２記載の異常情報保持システム。
【請求項４】
前記表示装置は、前記制御装置とは別体で電子ペーパーにより構成されていることを特徴とする請求項１ないし３の何れかに記載の異常情報保持システム。
【請求項５】
前記監視手段により異常検出されたときに備えて前記表示装置の電源を蓄積するコンデンサを備え、
前記コンデンサの容量値は、前記表示装置が１画面分を表示するのに必要な時間以上動作するための所定値に設定されていることを特徴とする請求項１ないし４の何れかに記載の異常情報保持システム。
【請求項６】
前記付加情報をＱＲコードなどの情報コードの画像情報として表示装置に変形出力する出力手段を備えたことを特徴とする請求項１ないし５の何れかに記載の異常情報保持システム。
【発明の詳細な説明】
【技術分野】
【０００１】
本発明は、異常検出時の解析情報を扱う異常情報保持システムに関する。
【背景技術】
【０００２】
一般に、故障などの異常時に解析情報を保持する技術が供されている。不揮発性メモリが解析情報を保持するのが一般的であったが、このメモリを表示装置に組込む技術が開発されている（例えば、特許文献１参照）。
【０００３】
この特許文献１の技術思想では、サーバ本体にソフトウェアとして設けられた表示制御部が、サーバ本体で検出した異常内容を示す情報を電子ペーパー表示装置に表示するようにしている。電子ペーパー表示装置は、電源や冷却ファンの故障によりエラーコードを電子ペーパー表示装置に表示した後に電源が切断されても、電子ペーパーのデータ保持性により電源遮断後もエラーコードを表示し続ける。
【先行技術文献】
【特許文献】
【０００４】
【特許文献１】特開２００８−２２５５２８号公報（図１）
【発明の概要】
【発明が解決しようとする課題】
【０００５】
しかしながら、特許文献１の技術思想を適用したときには、故障などの異常状態を判断する判断系統がソフトウェアの動作に依存することから、異常が生じたときに、異常原因などを解析するためのデータを出力するまでの間に相当の時間を要する。時間を必要以上に要してしまうと、制御装置の内部状態が変化してしまうため不要な情報を出力してしまうことになり、異常原因などを解析するための情報を的確に取得することが困難となる。
【０００６】
本発明は、上記事情に鑑みてなされたもので、その目的は、異常原因などを解析するための情報を的確に取得できるようにした異常情報保持システムを提供することにある。
【課題を解決するための手段】
【０００７】
請求項１記載の発明によれば、制御装置が画像情報を表示装置に表示させているものの、監視手段が制御装置の動作状態を監視し、付加情報生成手段が制御装置の動作状態を表す付加情報を生成しているため、制御装置の動作状態に関する付加情報を生成できる。送信手段が付加情報生成手段により生成された付加情報を画像情報に付加して表示装置に送信し受信手段は送信手段の画像情報および付加情報を受信するため、監視手段により制御装置の動作状態が異常であると検出されたときに、切替手段は受信手段の受信情報を画像情報から付加情報に即座に切替えることができる。そして、表示装置は、切替手段により受信された情報が付加情報に切替えられたときに受信手段により受信した付加情報を保持するため、異常検出される直前または／および直後における制御装置の動作状態を表示装置内に保持することができる。これにより、異常原因などを解析するための情報を的確に取得できる。
【０００８】
特許文献１記載の技術思想では、電子ペーパーが故障などの異常時の情報のみを表示するものであるため、通常動作時は不要な部品となっている。そこで、請求項２記載の発明によれば、表示装置は、制御装置が通常動作するときには画像情報を表示し、前記制御装置が異常動作するときには付加情報を表示するため、画像情報を表示する装置、付加情報を表示する装置を共用することができ、異常表示用に別途表示装置を設ける必要がなくなり、システムの構成点数を削減できる。
【０００９】
請求項３記載の発明によれば、異常検出装置はＣＰＵの動作とは独立に動作するため、たとえ付加情報生成手段がＣＰＵを含む制御装置の動作状態を表す付加情報を生成した後、ＣＰＵがハングアップしたとしても、異常検出装置の制御手段は、ＣＰＵがハングアップする直前の付加情報を記憶手段に記憶させることができ、送信手段は、ＣＰＵがハングアップする直前における制御装置の動作状態を表す付加情報を表示装置２に送信できる。保持手段がこの送信手段の付加情報を保持することで、解析者はＣＰＵがハングアップする直前における制御装置の動作状態を解析できる。
【００１０】
請求項４記載の発明によれば、表示装置が制御装置とは別体で電子ペーパーにより構成されているため、例えば制御装置がたとえ大装置で構成されていたとしても、解析者は当該制御装置を持ち運ぶことなく電子ペーパーのみを持ち運んで電子ペーパーに保持された付加情報を解析できるようになり、解析者にとって便利なシステムとなる。
【００１１】
請求項５記載の発明によれば、コンデンサは異常検出したときに備え表示装置の電源を蓄積するが、コンデンサの容量値は、表示装置が１画面分を表示するのに必要な時間以上動作するための所定値に設定されているため、異常検出された後にコンデンサの蓄積電荷が表示装置の電源として使用され、コンデンサの蓄積電荷が放電された後には、表示装置の電源供給が断たれることになり表示装置の動画表示を停止できる。したがって、表示装置の保持手段は動画表示を停止したタイミングで付加情報を保持することができ、解析者は当該付加情報で解析できるようになる。
【００１２】
請求項６記載の発明によれば、出力手段は付加情報をＱＲコードなどの情報コードの画像情報として表示装置に変形出力するため、付加情報をデジタル画像として扱いやすくなる。例えば解析者が情報コードの画像情報を撮影したり、電子メールなどで送信することも容易となるため利便性が向上する。
【図面の簡単な説明】
【００１３】
【図１】本発明の一実施形態を示すもので、（ａ）同期信号に同期した画像信号の取得タイミングを示すタイミングチャート、（ｂ）比較例を示すタイミングチャート
【図２】電気的構成を概略的に示すブロック図
【図３】制御装置の構成を概略的に示すブロック図
【図４】異常検出装置および制御装置間の具体的構成を示すハードウェア構成図
【図５】制御装置および表示装置間の通電切替器を示す概略的な構成図
【図６】付加情報の転送条件を示すフローチャート
【図７】通常動作時の信号の流れを説明する説明図
【図８】異常検出時の信号の流れを説明する説明図
【発明を実施するための形態】
【００１４】
以下、本発明の異常情報保持システムを、異常解析データ保持システムに適用した一実施形態について図面を参照しながら説明する。図２は、異常解析データ保持システムの概略的なブロック構成図を示している。
【００１５】
この図２に示すように、異常情報保持システムＺは、制御装置としてのコンピュータ１、表示装置２、不揮発性メモリ３、異常検出装置４、および、切替手段としての通電切替器５を図示接続して構成されている。不揮発性メモリ３は必要に応じてシステムＺから削除しても良い。
【００１６】
コンピュータ１には異常検出装置４が接続されている。コンピュータ１および表示装置２間には、通電切替器５が介在して接続されている。コンピュータ１は、通常動作時に表示画像データＡを生成し、通電切替器５を通じて表示装置２に表示画像データＡを出力する。
【００１７】
表示装置２は電子ペーパーからなるもので、同期信号、クロック、表示画像データＡを入力すると、表示画像データＡに基づき画像を表示しパネルの画面を書き換える。表示装置２のパネルは、電子ペーパーの特性上、書き換えられない限り画素データを保持するようになっており電源が切れても各画素データを保持する特性を備える。この表示装置２は保持された画素が外光反射により人間により外部から視認可能となっている。
【００１８】
表示画像データＡは、表示装置２の表示画面についてピクセル毎に複数ビットの色データが付された画像データを示している。以下、ピクセル毎の表示画像データＡをピクセルデータＡ１、Ａ２…と示す。
【００１９】
不揮発性メモリ３は異常解析データＢを保持する。異常解析データＢは、コンピュータ１が通常動作時に作成するものであり異常解析時に必要と考えられるデータを示している。本実施形態では、この異常解析データＢは、ピクセル毎の画像データＡ１、Ａ２…毎に設けられる。以下、ピクセル毎の画像データＡ１、Ａ２…にそれぞれ設けられる異常解析データＢをそれぞれ異常解析データＢ１、Ｂ２…と示す。
【００２０】
コンピュータ１の重畳部１ａは、表示画像データＡと異常解析データＢを重畳し、コンピュータ１はこの重畳部１ａのデータを表示装置２に出力する。コンピュータ１には一時記憶領域としてのメモリ１ｇ（図４参照）が設けられており、異常解析データＢをコンピュータ１のメモリ１ｇ内に保存し、表示装置２に表示画像データＡを画面出力するときに異常解析データＢをメモリ１ｇから重畳して出力させる。
【００２１】
図３は、コンピュータ内の機能的構成を概略的に示しており、図４は、コンピュータ内のハードウェア構成と異常検出装置のハードウェア構成を具体的に示している。
図３に示すように、コンピュータ１内には、画素クロック信号生成部１ｂ、通常画像情報生成部１ｃ、異常情報生成部１ｄが機能的に構成されている。通常画像情報生成部１ｃは、通常時の表示画面に表示する表示画像データＡを生成する。異常情報生成部１ｄは異常解析データＢを生成し、異常検出装置４に異常解析データＢを付加情報として出力する付加情報生成手段としての機能を有する。
【００２２】
画素クロック信号生成部１ｂは、表示画像データＡおよび異常解析データＢに同期する同期信号を生成しクロック信号ＣＫとして表示装置２に出力する。重畳部１ａは、画素クロック信号生成部１ｂが生成したクロック信号ＣＫに同期して、通常画像情報生成部１ｃが生成した表示画像データＡと、異常検出装置４から受信した異常解析データＢとを画素単位で交互に重畳しＤａｔａ／Ｃｏｎｔｒｏｌ信号として出力する。
【００２３】
図４に示すように、コンピュータ１内には、ＣＰＵ１ｅ、レジスタ１ｆ、メモリ１ｇなどが構成されているが、このＣＰＵ１ｅは、通常動作時にレジスタ１ｆやメモリ１ｇに計算結果などの情報を記憶させている。ＣＰＵ１ｅは、通常動作時に、解析者が後にコンピュータ１内を解析可能な異常解析データＢを生成し、レジスタ１ｆ、メモリ１ｇ、不揮発性メモリ３に記憶させている。これによりＣＰＵ１ｅは異常情報生成部１ｄとして機能する。コンピュータ１内には、通常画像情報生成部１ｃとして、垂直同期信号出力部１ｃａ、水平同期信号出力部１ｃｂ、画素ポインタレジスタ１ｃｃ、描画回路１ｃｄ、画素バッファ１ｃｅが構成されている。
【００２４】
画素ポインタレジスタ１ｃｃは画素クロック信号が与えられるとポインタを更新する。垂直同期信号出力部１ｃａは、画素クロック信号に基づいて垂直同期信号を出力する。水平同期信号出力部１ｃｂは、画素クロック信号に基づいて水平同期信号を出力する。画素バッファ１ｃｅは例えばＳＲＡＭにより構成される。描画回路１ｃｄは、画素バッファ１ｃｅに対し、画素ポインタレジスタ１ｃｃが示す画素に対応したアドレスと画素データとを指定することで画素バッファ１ｃｅに画像情報（表示画像データＡ）を保存し蓄積する。
【００２５】
異常検出装置４内には、異常情報転送回路４ａ、ウォッチドッグタイマ４ｂ、オンオフ制御回路４ｃなどのハードウェアが構成されている。異常情報転送回路４ａは転送制御部４ａａおよび中間バッファ部４ａｂを備える。中間バッファ部４ａｂは例えばＳＲＡＭにより構成されている。転送制御部４ａａは、トリガ生成回路４ａｘ、ＤＭＡ（Direct Memory Access）コントローラ４ａｙを接続して構成されている。
【００２６】
ウォッチドックタイマ４ｂは、コンピュータ１による制御動作とは独立に動作するもので、コンピュータ１内のＣＰＵ１ｅに接続されている。ＣＰＵ１ｅはウォッチドッグタイマ４ｂに定期的にパルスを出力する。
【００２７】
ＣＰＵ１ｅが通常問題なく動作しているときには定期的にパルスを出力するため、ウォッチドッグタイマ４ｂはＣＰＵ１ｅから当該パルスを受け付ける。ウォッチドッグタイマ４ｂは、コンピュータ１（ＣＰＵ１ｅ）の動作状態を監視する監視手段として機能するもので、ＣＰＵ１ｅが何らかの問題を生じてフリーズしパルスを出力しなくなったときには、当該パルスを受け付けなくなる。このとき、ウォッチドッグタイマ４ｂは予め定められた所定時間を計測し、パルスを受け付けない時間が所定時間超えたときにはＣＰＵ１ｅがハングアップしたものとみなし、異常情報転送回路４ａに異常した旨を示す異常トリガを与えるようになっている。
【００２８】
他方、ＣＰＵ１ｅが通常動作すると共に描画回路１ｃｄが画素バッファ１ｃｅに画素データを書き込むとき、異常情報転送回路４ａ内の転送制御部４ａａ内では、トリガ生成回路４ａｘが定期的（例えば１ｍｓ毎）なトリガパルスを出力し当該トリガに応じてＤＭＡコントローラ４ａｙが起動する。
【００２９】
ＤＭＡコントローラ４ａｙは、通常画像情報生成部１ｃ内の垂直同期信号出力部１ｃａから垂直同期信号を受信すると、バス上の参照アドレス、中間バッファ部４ａｂへの書込アドレスを指定し、コンピュータ１のレジスタ１ｆやメモリ１ｇに対して転送命令を出力する。なお、垂直同期信号出力部１ｃａは標準画面で１７［ｍｓ］程度、高精細画面で８［ｍｓ］程度の周期で垂直同期信号を出力する。
【００３０】
レジスタ１ｆ、メモリ１ｇは、転送制御部４ａａから転送命令を受付けると、それぞれ記憶されたデータがＣＰＵ１ｅの指令を介在することなく、異常情報転送回路４ａ内の中間バッファ部４ａｂに転送される。このようにして、ＣＰＵ１ｅが通常動作すると共に描画回路１ｃｄが画素バッファ１ｃｅに画素データを書き込んでいる最中に、異常解析データＢがレジスタ１ｆ、メモリ１ｇから中間バッファ部４ａｂに転送される。なお、メモリ１ｇはＩＣ１個で構成されている。転送間隔は、１画面の垂直同期信号の周期よりも短い間隔であれば任意の間隔に設定すれば良い。通常は、例えば１［ｍｓ］間隔程度に設定される。ＣＰＵ１ｅが通常動作しているときには、中間バッファ部４ａｂの記憶データは順次書き換えられる。
【００３１】
通常動作時において、コンピュータ１が、中間バッファ部４ａｂにバッファ記憶された異常解析データＢを付加情報として読出して出力するときには、画素クロック信号生成部１ｂが生成した画素のクロック信号ＣＫに応じて画素ポインタレジスタ１ｃｃを順次更新し、当該ポインタレジスタ１ｃｃが示す画素に対応した部分について中間バッファ部４ａｂのデータを付加情報として重畳部１ａに画素単位で出力する。重畳部１ａは、この中間バッファ部４ａｂのデータ値と画素バッファ１ｃｅに蓄積された画像情報（表示画像データＡ）とを重畳させて出力することになる。
【００３２】
図６は、異常解析データＢの転送条件を示している。この図６に示すように、コンピュータ１内の重畳部１ａの動作がオンとなっているとき（Ｓ１：ＹＥＳ）で且つ、異常検出装置４が画面垂直同期信号を受け付けた（Ｓ２：ＹＥＳ）ときに、転送制御部４ａａが異常解析データＢを中間バッファ部４ａｂから重畳部１ａに出力（転送）し（Ｓ３：ＹＥＳ）、新しい異常解析データＢをメモリ１ｇに生成し、不揮発性メモリ３に記憶させる（Ｓ４）。
【００３３】
図５は通電切替器の具体的な電気的構成を示している。この図５に示すように、コンピュータ１と表示装置２の間には、クロック信号ＣＫの接続線６、データ線７が並列に結線接続されている。
【００３４】
クロック信号ＣＫの接続線６には、コンピュータ１と表示装置２の間に介在してスイッチング素子８が設けられている。このスイッチング素子８は、その制御端子が異常検出装置４に接続されている。スイッチング素子８の入出力端子間には反転回路９およびスイッチング素子１０が直列接続されている。異常検出装置４とスイッチング素子１０の制御端子との間には反転回路１１が接続されており、反転回路１１の作用によりスイッチング素子８および１０は相補的にオンオフ動作する。反転回路１１は、その出力がコンデンサ１２を介して表示装置２の電源端子に与えられる。
【００３５】
異常検出装置４は、前述のスイッチング素子８の制御端子にオンオフ信号を与えると同時にスイッチング素子１３の制御端子に同じオンオフ信号を与えるように構成されている。異常検出装置４は、スイッチング素子８、１３の制御端子に対し、通常動作時または異常検出時を示す制御信号としてオンオフ信号を与える。電源回路１４は、通常動作時にスイッチング素子１３がオンになると電源電圧を表示装置２の電源端子に与えるようになっている。
【００３６】
図７は、通常動作時の通電経路を概略的に示している。通常動作時においては、コンピュータ１内のＣＰＵ１ｅがパルスを出力し、異常検出装置４はこのパルスを受付けている。通常動作（正常動作）時において、異常検出装置４はスイッチング素子８、１３の制御端子にオン制御信号を印加することで、スイッチング素子８、１３をオンとし、スイッチング素子１０をオフとする。
【００３７】
電源回路１４の電源電圧が、表示装置２の電源端子に与えられる。なお、このときコンデンサ１２は電源回路１４の電源電圧によりチャージされる。コンピュータ１は、表示装置２にクロック信号、データおよび制御信号を正常に出力するが、表示装置２は電源端子に電源電圧が与えられるため、クロック信号、データおよび制御信号を入力し、画像データを表示画面に表示する。
【００３８】
図８は、異常検出時の通電経路を概略的に示している。異常検出装置４のウォッチドッグタイマ４ｂはコンピュータ１のＣＰＵ１ｅを常時監視している。ＣＰＵ１ｅがハングアップしたときには、コンピュータ１のＣＰＵ１ｅは定期的なパルスを出力しなくなる。定期的なパルスが出力されなくなった後、ある一定時間この状態が続いたときには、異常検出装置４はＣＰＵ１ｅがハングアップしたものと判定する。
【００３９】
このようにして異常検出装置４がコンピュータ１のＣＰＵ１ｅに異常を検出したときには、異常検出装置４のオンオフ制御回路４ｃはスイッチング素子８、１０、１３の制御端子にオフ制御信号を印加することで、スイッチング素子８、１３をオフとし、スイッチング素子１０をオンとする。
【００４０】
異常検出装置４は、反転回路１１を通じて表示装置２に異常信号を与える。このとき、異常時にはコンデンサ１１の充電電圧が表示装置２に供給されるようになり、コンピュータ１が異常であったとしても表示装置２はその表示画面にメッセージを短時間表示可能となる。
【００４１】
また、異常検出装置４内では、異常情報転送回路４ａにウォッチドッグタイマ４ｂから異常トリガが与えられる。このときＣＰＵ１ｅがたとえ動作していなくてもＤＭＡコントローラ４ａｙがレジスタ１ｆ、メモリ１ｇの記憶情報をＣＰＵ１ｅから独立して中間バッファ部４ａｂに転送するため、異常情報転送回路４ａは、ＣＰＵ１ｅがハングアップする直前（例えば、異常発生前１［ｍｓ］）（または／および直後）においてレジスタ１ｆ、メモリ１ｇに記憶された異常解析データＢを中間バッファ部４ａｂに蓄積することができる。重畳部１ａは、画素クロック信号生成部１ｂのクロック信号ＣＫに応じて通常の画素データによる表示画像データＡ（画像情報）と異常解析データＢ（付加情報）とを画素毎に切り替えて出力する。
【００４２】
異常検出時には、通電切替器５を構成するスイッチング素子１０がオンすると共にスイッチング素子８がオフするため、クロック信号ＣＫは、反転回路９およびスイッチング素子１０を通じて表示装置２にクロックとして与えられる。したがって、クロックは、通常動作時と比較して表示装置２に反転入力される。
【００４３】
図１（ａ）は、本実施形態の特徴部分となる通常動作（正常動作）および異常検出時における表示装置２が受け付けるクロックとデータをタイミングチャートにより比較して示している。図１（ｂ）は、比較対象となる画像データ取得タイミングを示している。
図１（ａ）に示すように、コンピュータ１の重畳部１ａは、通常動作時には表示画像データＡ１、Ａ２…と、異常解析データＢ１、Ｂ２…とが重畳されたデータを出力する。このとき、例えばデータＡ１、Ｂ１、Ａ２、Ｂ２…のように交互に重畳されたデータを出力する。
【００４４】
本実施形態において、表示装置２は、通常動作時に重畳データＡ１，Ｂ１、Ａ２、Ｂ２…がコンピュータ１から順次送信されてきたとしても表示画像データＡに同期して受信する。したがって、表示装置２は表示画像データＡに応じた表示画面を表示できる。表示装置２には、異常検出装置４による異常検出時においてクロックが通常動作時と比較して反転入力される。したがって、表示装置２は、コンピュータ１からデータＡ１、Ｂ１、Ａ２、Ｂ２…が順次送信されてきたときには異常解析データＢに同期して受信できる。
【００４５】
また、表示装置２は、そのパネルの各画素が異常解析データＢを保持した状態で、コンデンサ１２の保持電荷が消費されることになり、表示装置２の電源が遮断されることになる。このため、その時点で画素保持データは書換えられることがなくなる。つまり、表示装置２は、異常発生前において通常画面を表示するため、表示画像データＡによって同期信号毎に画素を順次書き換えるものの、異常発生時には異常解析データＢを画素に蓄積した状態で電源遮断されることになる。
【００４６】
これにより得られる異常解析データＢは、ユーザが認識する表示画像として意味をなさないものであったとしても、画素を保持する表示装置２に保存されたデータであるため、当該データを後に解析することができ、故障などの異常原因解析の材料として用いることができる。なお、コンデンサ１２の容量値は、表示装置２の１画面分を表示するのに必要な時間（一般的には、数十ミリ秒程度）以上、表示装置２が動作するための所定値に設定すると良い。また、メッセージは、表示画像として意味をなす絵や文章に限らず、人では視認不能な模様などで表示装置２の画素に表示、記憶させるようにしても良い。
【００４７】
例えば従来技術では、コンピュータ１内で異常状態を判定し、異常であることが判定されると異常解析データＢを作成して外部に出力する方法を適用していた。すると、実際に異常と判定された時点から出力データの作成までの間にソフトウェア動作が介在して相応の時間を要し、その間にコンピュータ１の内部状態が変更されてしまう可能性が高い。
【００４８】
要部をまとめると、本実施形態は次に示す特徴を備える。すなわち、転送制御部４ａａは、コンピュータ１内部で通常動作時に作成した付加情報を異常解析データＢとして異常情報転送回路４ａ内の中間バッファ部４ａｂに転送して記憶させ、重畳部１ａにより中間バッファ部４ａｂの異常解析データＢを通常の表示画像データＡに付加して重畳し、画素クロック信号生成部１ｂの画素クロック信号ＣＫに同期して出力する。
【００４９】
通電切替器５は、ＣＰＵ１ｅが通常動作しているときには表示装置２が表示画像データＡに同期して受け付けるように切替えるものの、ＣＰＵ１ｅの異常が検出されたときには表示装置２が異常解析データＢに同期して受け付けるように切替え、表示装置２はこの異常解析データＢを受信し画素に記憶保持する。
【００５０】
異常検出装置４はＣＰＵ１ｅの動作とは独立に動作するため、たとえＣＰＵ１ｅがコンピュータ１の動作状態を表す異常解析データＢを生成した後、ＣＰＵ１ｅがハングアップしたとしても、転送制御部４ａａはＣＰＵ１ｅがハングアップする直前におけるコンピュータ１の動作状態を表す異常解析データＢを中間バッファ部１ａｂに記憶させることができ、重畳部１ａから当該異常解析データＢを表示装置２に送信できる。
【００５１】
このようにして、表示装置２は、コンピュータ１の異常検出直前または／および直後における異常解析データＢを的確に取得でき、異常原因などを解析するための情報を的確に取得できる。
【００５２】
表示装置２は、コンピュータ１が通常動作するときには表示画像データＡを表示し、コンピュータ１に異常検出されたときには異常解析データＢを表示できるため、異常表示用に表示手段を別途設ける必要がなくなり、システムの構成点数を削減できる。
表示装置２がコンピュータ１とは別体で電子ペーパーにより構成されているため、解析者は電子ペーパーのみを持ち運んで保持データを解析できるようになり、解析者にとって利便性が良い。
【００５３】
異常検出したときに、表示装置２はコンデンサ１２の蓄積電荷を電源として動作し、当該蓄積電荷が放電された後には、表示装置２の電源供給が断たれることになり表示装置２の動画表示を停止する。したがって、表示装置２は動画表示を停止したタイミングで電子ペーパーの特性から異常解析データＢを保持することができ、解析者は当該異常解析データＢで解析できるようになる。
【００５４】
（他の実施形態）
本発明は、上記実施形態に限定されるものではなく、例えば、以下に示す変形または拡張が可能である。
前述実施形態では、表示装置２が画素クロック信号の立上りに同期してデータを受信して受付ける実施形態を示しているが、画素クロック信号の立下りに同期してデータを受信して受付ける形態に適用しても良い。
【００５５】
表示画像データＡの１画素（ピクセル）毎に異常解析データＢを１データ付加した実施形態を示しているが、異常解析データＢを付加する単位は１画素毎に限られず、異常解析データＢを複数画素の表示画像データＡ毎にバースト状に付加しても良い。表示画像データＡを複数画素分出力した後に、複数の画素毎に異常解析データＢを付加して出力する形態に適用しても良い。
【００５６】
表示装置２は、異常解析データＢをＱＲコードなどの情報コードの画像情報として変形出力する機能を備えていても良い。この場合、異常解析データｂがデジタル画像として扱いやすくなるため、例えば解析者が情報コードの画像情報を撮影したり、電子メールなどで送信することも容易となり利便性が向上する。
【００５７】
コンピュータ１のＣＰＵ１ｅが異常解析データＢをレジスタ１ｆ、メモリ１ｇに書出し、当該書出されたデータを異常情報転送回路４ａが転送するようにしているが、これに限定されるものではなく、例えば、他のハードウェアデバイス（例えば画像デコーダ、音声デコーダ）が異常解析データＢとしてレジスタ１ｆ、メモリ１ｇに書出し、このデータを異常情報転送回路４ａから転送するようにしても良い。
【符号の説明】
【００５８】
図面中、１はコンピュータ（制御装置）、１ａは重畳部（送信手段）、１ｄは異常情報生成部（付加情報生成手段）、１ｅはＣＰＵ、２は表示装置（受信手段、保持手段、出力手段）、４は異常検出装置、４ａａは転送制御部（制御手段）、４ａｂは中間バッファ部（記憶手段）、４ｂはウォッチドッグタイマ（監視手段）、５は通電切替器（切替手段）を示す。
【図１】
2011198220.tif 000003
【図２】
2011198220.tif 000004
【図３】
2011198220.tif 000005
【図４】
2011198220.tif 000006
【図５】
2011198220.tif 000007
【図６】
2011198220.tif 000008
【図７】
2011198220.tif 000009
【図８】
2011198220.tif 000010